(57)【要約】【課題】  さまざまな印刷アプリケーションに容易に適応できる汎用性、信頼性の高い安価なインクジェット記録装置を提供する。【解決手段】  記録媒体を搬送する記録媒体搬送ユニットと、プリントヘッドとインク供給部から構成されるプリントヘッドユニットと、プリントヘッドユニットを搭載するテーブル部と、テーブル部を前記記録媒体搬送方向と直交する方向に移動するＸ軸搬送部と、前記テーブル部を前記記録媒体搬送方向と鉛直方向に移動するＺ軸搬送部と、前記プリントヘッドに対向したパージユニットとを備え、前記記録媒体搬送ユニットに対向する位置に装着したインクジェット印刷ユニットとを有し、前記テーブル部に前記プリントヘッドユニットの種類を判別する第１のユニット検知部を設け、且つ前記インクジェット印刷ユニットに前記パージユニットの種類を判別する第２のユニット検知部を設ける。【選択図】図１
2005305857.tif 000002
【特許請求の範囲】
【請求項１】
記録媒体を搬送する記録媒体搬送ユニットと、
プリントヘッドとインク供給部から構成されるプリントヘッドユニットと、該プリントヘッドユニットを搭載するテーブル部と、該テーブル部を前記記録媒体搬送方向と直交する方向に移動するＸ軸搬送部と、前記テーブル部を前記記録媒体搬送方向と鉛直方向に移動するＺ軸搬送部と、前記プリントヘッドに対向したパージユニットとを備え、前記記録媒体搬送ユニットに対向する位置に装着したインクジェット印刷ユニットとを有したインクジェット記録装置において、
前記テーブル部に前記プリントヘッドユニットの種類を判別する第１のユニット検知部を設け、且つ前記インクジェット印刷ユニットに前記パージユニットの種類を判別する第２のユニット検知部を設けたことを特徴とするインクジェット記録装置。
【請求項２】
前記プリントヘッドユニット内のプリントヘッドと前記パージユニットとを、前記記録媒体搬送方向と直交する方向に増設可能なことを特徴とする請求項１記載のインクジェット記録装置。
【請求項３】
前記プリントヘッドユニットとパージユニットが着脱可能な構成としたことを特徴とする請求項１または２のいずれか一つに記載のインクジェット記録装置。
【請求項４】
前記プリントヘッドユニットとパージユニットを交換する際、プリントヘッドユニットとパージユニットとを一体化して着脱可能な構成としたことを特徴とする請求項１乃至３のいずれか一つに記載のインクジェット記録装置。
【請求項５】
前記インク供給部が前記プリントヘッドのメニスカスを印字に適した負圧に保持する負圧保持手段有することを特徴とする請求項１乃至４のいずれか一つに記載のインクジェト記録装置。
【請求項６】
前記インク供給部が前記プリントヘッドのメニスカスを印字に適した負圧に保持する負圧保持手段と大容量のインクタンクから構成されたことを特徴とする請求項１乃至５のいずれか一つに記載のインクジェト記録装置。
【請求項７】
前記インクタンクを脱気インク袋として着脱可能にしたことを特徴とする請求項１乃至６のいずれか一つに記載のインクジェト記録装置。
【請求項８】
前記インク供給系が酸素を透過しにくい材質で構成されたことを特徴とする請求項１乃至７のいずれか一つに記載のインクジェト記録装置。
【請求項９】
前記プリントヘッドユニットにヘッド駆動用コネクタ、負圧制御用信号ケーブルコネクタおよび負圧制御用ホースコネクタ部を設け、前記プリントヘッドユニットを搭載するテーブル部に前記コネクタの接続用コネクタを設け、前記プリントヘッドユニットを搭載するテーブル部に装填することによりコネクタ部が接続されることを特徴とする請求項１乃至８のいずれか一つに記載のインクジェト記録装置。
【請求項１０】
前記インクジェット印刷ユニットが前記記録媒体搬送ユニットよりも鉛直方向上側に設けられていることを特徴とする請求項１乃至９のいずれか一つに記載のインクジェト記録装置。
【請求項１１】
前記インクジェット印刷ユニットが鉛直方向に可動可能なコの字状フレームに装着されていることを特徴とする請求項１乃至１０のいずれか一つに記載のインクジェト記録装置。
【発明の詳細な説明】
【技術分野】
【０００１】
本発明は、インクジェット記録装置に係り、特に製造ラインなどで使用される産業用インクジェット記録装置に関する。
【背景技術】
【０００２】
従来技術からなる実施例としては、プリントヘッドやインクカートリッジに識別情報を付加して、一致・不一致を検知する構成が開示されている（例えば、特許文献１〜４参照）。
【０００３】
また、プリントヘッドを具備したインク色の異なる印字カートリッジを同一のカートリッジホルダに対して装着できるように外形が同じである構成が開示されている（例えば、特許文献５参照）。
【０００４】
また、ヘッド保全部であるキャッピング部の着脱に関しては、プリントヘッド面に着脱自在に被装されたメンテナンス手段を設けた構成が開示されているが、インクジェット印刷ユニット本体からの着脱については言及していない（例えば、特許文献６参照）。
【０００５】
【特許文献１】特開２００１−２７００９２号公報
【０００６】
【特許文献２】特開２００２−２５４６１１号公報
【特許文献３】特開２０００−６４４０号公報
【特許文献４】特開２００１−９６７６０号公報
【特許文献５】特許第３３７７８２９号公報
【特許文献６】特開２００２−５９５６８号公報
【発明の開示】
【発明が解決しようとする課題】
【０００７】
特に産業用インクジェット記録装置の場合には、さまざまな媒体に印刷することが要求され、そのためにさまざまなインク色、インク種、印刷幅等に対応する必要がある。
【０００８】
しかし、上述した構成では印字幅の異なるプリントヘッドユニットの交換はできない。また、印字幅の異なるプリントヘッドユニットが装填された場合、不吐出、ビーム曲がり等を回復させるプリントヘッド保全ができないという問題がある。
【０００９】
さらに、インク色・インク種が変わった場合にはプリントヘッド部と接触するパージユニットを交換しないとプリントヘッド部で交換前のインクがプリントヘッドのノズル部に付着して、混色、インクの固化等によるビーム曲がり等が発生して印刷品質を低下させたり、最悪の場合、ノズル部が固化したインクにより詰まり不吐出を発生させる要因となる。
【００１０】
本発明の目的は、このような従来技術の欠点を解消し、さまざまなインク色、インク種印字幅に応じたプリントヘッドに対応するパージユニットとなる構成として、汎用性、信頼性の高い安価なインクジェット記録装置を提供することにある。
【課題を解決するための手段】
【００１１】
この目的を達成するため、記録媒体を搬送する記録媒体搬送ユニットと、プリントヘッドとインク供給部から構成されるプリントヘッドユニットと、該プリントヘッドユニットを搭載するテーブル部と、該テーブル部を前記記録媒体搬送方向と直交する方向に移動するＸ軸搬送部と、前記テーブル部を前記記録媒体搬送方向と鉛直方向に移動するＺ軸搬送部と、前記プリントヘッドに対向したパージユニットとを備え、前記記録媒体搬送ユニットに対向する位置に装着したインクジェット印刷ユニットとを有したインクジェット記録装置において、前記テーブル部に前記プリントヘッドユニットの種類を判別する第１のユニット検知部を設け、且つ前記インクジェット印刷ユニットに前記パージユニットの種類を判別する第２のユニット検知部を設けたことを特徴とする。
【００１２】
また、前記プリントヘッドユニット内のプリントヘッドと前記パージユニットとを、前記記録媒体搬送方向と直交する方向に増設可能なことを特徴とする。
【００１３】
また、前記プリントヘッドユニットとパージユニットが着脱可能な構成としたことを特徴とする。
【００１４】
また、前記プリントヘッドユニットとパージユニットを交換する際、プリントヘッドユニットとパージユニットとを一体化して着脱可能な構成としたことを特徴とする。
【００１５】
また、前記インク供給部が前記プリントヘッドのメニスカスを印字に適した負圧に保持する負圧保持手段有することを特徴とする。
【００１６】
また、前記インク供給部が前記プリントヘッドのメニスカスを印字に適した負圧に保持する負圧保持手段と大容量のインクタンクから構成されたことを特徴とする。
【００１７】
また、前記インクタンクを脱気インク袋として着脱可能にしたことを特徴とする。
【００１８】
また、前記インク供給系が酸素を透過しにくい材質で構成されたことを特徴とする。
【００１９】
また、前記プリントヘッドユニットにヘッド駆動用コネクタ、負圧制御用信号ケーブルコネクタおよび負圧制御用ホースコネクタ部を設け、前記プリントヘッドユニットを搭載するテーブル部に前記コネクタの接続用コネクタを設け、前記プリントヘッドユニットを搭載するテーブル部に装填することによりコネクタ部が接続されることを特徴とする。
【００２０】
また、前記インクジェット印刷ユニットが前記記録媒体搬送ユニットよりも鉛直方向上側に設けられていることを特徴とする。
【００２１】
さらに、前記インクジェット印刷ユニットが鉛直方向に可動可能なコの字状フレームに装着されていることを特徴とする。
【発明の効果】
【００２２】
本発明によれば、プリントヘッドユニットを装着するテーブル部にプリントヘッドユニットの種類を判別する第１のユニット検知部を設け、且つパージユニットの種類を判別する第２のユニット検知部をインクジェット印刷ユニットに設けることにより、汎用性、信頼性の高い安価なインクジェット記録装を提供することが可能となる。
【００２３】
また、プリントヘッドユニット内のプリントヘッドとパージユニットとを記録媒体搬送方向と直交する方向に増設することにより、印刷幅の増減が可能となる。
【００２４】
また、プリントヘッドユニットとパージユニットが着脱可能な構成としたことにより汎用性の高く安価となる。
【００２５】
また、プリントヘッドユニットとパージユニットを交換する際、プリントヘッドユニットとパージユニットとを一体化して着脱可能な構成とすることによりプリントヘッドユニット保管時のキャッピングも兼用でき安価で且つ信頼性も向上する。
【００２６】
また、インク供給部がプリントヘッドのメニスカスを印字に適した負圧に保持する負圧保持手段有することによりインク供給部を最小限の部品で構成しコンパクトにすることにより汎用性が拡大し安価となる。
【００２７】
また、インク供給部が前記プリントヘッドのメニスカスを印字に適した負圧に保持する負圧保持手段と大容量のインクタンクから構成されたことにより、負圧制御とインク供給が容易となる。
【００２８】
また、インクタンクを脱気インク袋として着脱可能にしたことによりインク補充が容易となり、且つインク供給路内に気泡の停留がない状態が維持できるためインク吐出が安定し信頼性が向上する。
【００２９】
また、インク供給系を酸素が透過しにくい材質で構成することによりインク供給路内に気泡の停留がない状態が維持できるためインク吐出が安定し信頼性が向上する。
【００３０】
また、プリントヘッドユニットにヘッド駆動用コネクタ、負圧制御用信号ケーブルコネクタおよび負圧制御用ホースコネクタ部を設け、プリントヘッドユニットを搭載するテーブル部に前記コネクタの接続用コネクタを設け、プリントヘッドユニットを搭載するテーブル部に装填することによりコネクタ部が接続されることによりプリントヘッドユニットの交換作業が容易となる。
【００３１】
また、前記インクジェット印刷ユニットが前記記録媒体搬送ユニットよりも鉛直方向上側に設けられていることにより、記録媒体搬送ユニットヘの取り付けの汎用性が拡大する。
【００３２】
また、前記インクジェット印刷ユニットが鉛直方向に可動可能なコの字状フレームに装着されていることにより記録媒体搬送ユニットヘの取り付けの汎用性が拡大する。
【発明を実施するための最良の形態】
【００３３】
本発明の実施例について、図１、２、３、４を用いて説明する。
【実施例１】
【００３４】
本発明の実施形態に係るインクジェット記録装置の全体の概略構成は、記録媒体搬送ユニット１とインクジェット印刷ユニット２から構成される。
【００３５】
記録媒体搬送ユニット１は記録媒体搬送ユニットフレーム１−ａとバキュームベルト１−ｂ図示しないバキュームベルト搬送機構、バキューム発生機構等から構成される。
【００３６】
インクジェット印刷ユニット２は、インク滴を吐出する前記記録媒体搬送方向に対し斜めに配列された複数列の図示しないプリントヘッド、該プリントヘッドにインクを供給するインク供給部から構成されるプリントヘッドユニット３、該プリントヘッドユニット３の種類を識別する第一の図示しないユニット検知部を具備し、前記プリントヘッドユニット３を記録媒体の搬送方向と直交する方向に移動するＸ軸搬送部４、前記プリントヘッドユニット３を搭載するテーブル部５−ａを具備した鉛直方向に移動するＺ軸搬送部５、前記プリントヘッド内部に混入したエアを取り除く前記プリントヘッド列に対応したパージユニット６、該パージユニットの種類を識別する図示しない第ニのユニット検知部を前記パージユニット搭載部近傍に設け、前記部品をインクジェット印刷ユニットフレーム２−ａ上に備えた構成となっている。
【００３７】
印字動作時にはＸ軸搬送部４により記録媒体搬送ユニット１上にプリントヘッドユニット３を移動し、前記Ｚ軸搬送部５により、記録媒体とプリントヘッドを所定の距離に移動して印刷することができる。また、パージユニット６は、前記プリントヘッド内部に混入したエアを取り除く図示しないポンプとキャッピング部とから構成される。
【００３８】
次に、図３にてヘッド保全動作について説明する。
【００３９】
プリントヘッドユニット３をＸ軸搬送部４により、パージユニット６の図示しないキャッピング部上まで移動停止し、Ｚ軸搬送部５により図示しないプリントヘッドをキャッピング部に押し当てポンプによりプリントヘッド内部に混入したエアを取り除く。
【００４０】
また、前記プリントヘッドユニット３内の図示しないプリントヘッドが上記のように前記記録媒体搬送方向に対し斜めに複数列配列され、また、図２に示すように、プリントヘッドユニット３を搭載するテーブル部５−ａが、記録媒体搬送方向に対し直交する方向にフリーで、さらにパージユニット６も上記のようにインクジェット印刷ユニットフレーム２−ａ上に設置されているため、プリントヘッドユニット３内のプリントヘッドとパージユニット６とを記録媒体搬送方向と直交する方向に増設することができ、印刷幅の増減が可能となる。
【００４１】
また、プリントヘッドユニットとパージユニットを図示しない位置決めピン等により位置決めし、図示しないネジ等により簡単に着脱可能な構成にすることにより、汎用性が高く、且つ安価となる。
【００４２】
また、プリントヘッドユニットとパージユニットを交換する際、プリントヘッドユニットとパージユニットとを図示しないネジ等により一体化して着脱可能な構成とすることにより、プリントヘッドユニット保管時のキャッピングも兼用でき安価で且つ信頼性も向上する。
【００４３】
また、インク供給部がプリントヘッドのメニスカスを印字に適した負圧に保持する図示しない負圧保持手段有することにより、インク供給部を最小限の部品で構成しコンパクトにすることにより汎用性が拡大し安価となる。
【００４４】
また、インク供給部が前記プリントヘッドのメニスカスを印字に適した負圧に保持する図示しない負圧保持手段と図示しない大容量のインクタンクから構成されたことにより、負圧制御とインク供給が容易となる。
【００４５】
また、図示しないインクタンクを脱気インク袋として着脱可能にしたことにより、インク補充が容易となり、且つインク供給路内に気泡の停留がない状態が維持できるため、インク吐出が安定し信頼性が向上する。
【００４６】
また、インク供給系を図示しない金属配管、樹脂チューブ等の酸素が透過しにくい材質で構成することにより、インク供給路内に気泡の停留がない状態が維持できるためインク吐出が安定し信頼性が向上する。
【００４７】
また、プリントヘッドユニット３に図示しないヘッド駆動用コネクタ、負圧制御用信号ケーブルコネクタおよび負圧制御用ホースコネクタ部を設け、プリントヘッドユニット３を搭載するテーブル部５−ａに前記コネクタの接続用コネクタを設け、プリントヘッドユニット３を搭載するテーブル部５−ａに装填することにより、コネクタ部が接続されることによりプリントヘッドユニット３の交換作業が容易となる。
【００４８】
また、前記インクジェット印刷ユニット２が前記記録媒体搬送ユニット１よりも鉛直方向上側に設けられていることにより、記録媒体搬送ユニット１ヘの取り付けの汎用性が拡大する。
【００４９】
また、図４に示すように、前記インクジェット印刷ユニット２が鉛直方向に可動可能なコの字状フレーム７に装着されていることにより、記録媒体搬送ユニット１ヘの取り付けの汎用性が拡大する。
【００５０】
以上説明した構成をとることにより、さまざまなインク色、インク種、印字幅に応じたプリントヘッドユニットのインク色、インク種、印刷幅等の種類に対応するパージユニットが一対一対応となり、インク色・インク種が変わっても、混色、インクの固化等によるビーム曲がり等が発生して印刷品質を低下させたり、最悪の場合、ノズル部が固化したインクにより詰まり不吐出を発生させることを防止でき、また、不吐出、ビーム曲がり等を回復させるプリントヘッド保全も可能となり、さまざまな印刷アプリケーションに容易に適応できる汎用性、信頼性の高い安価なインクジェット記録装置を提供することにができる。
【図面の簡単な説明】
【００５１】
【図１】本発明による一実施例を示す、インクジェット記録装置の斜視図である。
【図２】本発明による一実施例を示す、プリントヘッドユニットおよびプリントヘッド保全部を取り外した状態を示すインクジェット記録装置の斜視図である。
【図３】本発明による一実施例を示す、インクジェット記録装置のプリントヘッド保全状態を示斜視図である。
【図４】本発明による一実施例を示す、インクジェット記録装置の斜視図である。
【符号の説明】
【００５２】
１は記録媒体搬送ユニット、１−ａはバキュームベルト、１−ｂは記録媒体搬送ユニットフレーム、２はインクジェット印刷ユニット、２−ａはインクジェット印刷ユニットフレーム、３はプリントヘッドユニット、４はＸ軸搬送部、５はＺ軸搬送部、５−ａはテーブル、６はプリントヘッド保全部、７はフレームである。
【図１】
2005305857.tif 000003
【図２】
2005305857.tif 000004
【図３】
2005305857.tif 000005
【図４】
2005305857.tif 000006